(57)【要約】【課題】バッテリー残量低下時に表示手段の視認性を保ちつつ省電力化した調律装置を提供する。【解決手段】調律装置は、スイッチ１や楽音入力手段１１からの入力により、入力音の音名やセント偏差を抽出し、表示手段６に表示する。表示手段６の表示内容が変更されるとき、バッテリー残量検出手段１５の検出結果に基づき、照明制御手段７が照明手段１０の点灯箇所や点灯時間、輝度を独立して制御することで省電力化を図る。【選択図】図１
2008203481.tif 000002
【特許請求の範囲】
【請求項１】
外部入力信号を入力するための外部入力手段と、
前記外部入力手段の内容に基づいて表示内容を表示する１つ以上の表示手段と、
前記表示手段の表示内容に基づいて変化する複数の照明手段と、
前記外部入力手段から入力された前記外部入力信号をトリガとして前記照明手段を点灯させ、一定時間経過後に消灯するように制御する照明制御手段と、
バッテリーの残量を検出するためのバッテリー残量検出手段と、
を備えた調律装置であって、
前記照明制御手段は、バッテリー残量検出手段の出力値に基づいて、前記照明手段の点灯時間を制御することを特徴とする調律装置。
【請求項２】
外部入力信号を入力するための外部入力手段と、
前記外部入力手段の内容に基づいて表示内容を表示する１つ以上の表示手段と、
前記表示手段の表示内容に基づいて変化する複数の照明手段と、
前記外部入力手段から入力された前記外部入力信号をトリガとして前記照明手段を点灯させ、一定時間経過後に消灯するように制御する照明制御手段と、
バッテリーの残量を検出するためのバッテリー残量検出手段と、
を備えた調律装置であって、
前記照明制御手段は、バッテリー残量検出手段の出力値に基づいて、前記照明手段の輝度を制御することを特徴とする調律装置。
【請求項３】
外部入力信号を入力するための外部入力手段と、
前記外部入力手段の内容に基づいて表示内容を表示する１つ以上の表示手段と、
前記表示手段の表示内容に基づいて変化する複数の照明手段と、
前記外部入力手段から入力された前記外部入力信号をトリガとして前記照明手段を点灯させ、一定時間経過後に消灯するように制御する照明制御手段と、
バッテリーの残量を検出するためのバッテリー残量検出手段と、
を備えた調律装置であって、
前記照明制御手段は、バッテリー残量検出手段の出力値に基づいて、複数の前記照明手段の中で特定の照明手段のみが点灯するように個々の前記照明手段を独立に制御できることを特徴とする調律装置。
【請求項４】
前記外部入力手段は、スイッチ、マイク、またはインプットジャックであることを特徴とする請求項１から３のいずれかに記載の調律装置。
【請求項５】
前記照明制御手段は、前記バッテリー残量検出手段がバッテリー残量を所定の値以下であると検出したときに、外部入力信号の種類によって、複数の照明手段のうち、特定の照明手段を選択して制御することを特徴とする請求項１から３のいずれかに記載の調律装置。
【請求項６】
前記照明制御手段は、前記外部入力手段に調律可能な特定の周波数範囲の楽音が入力されたときのみ前記照明装置を点灯するように制御することを特徴とする請求項４に記載の調律装置。
【請求項７】
前記周波数範囲は、任意の範囲の値に設定可能なことを特徴とする請求項６に記載の調律装置。
【発明の詳細な説明】
【技術分野】
【０００１】
本発明は楽器の音を調律する場合に用いる調律装置に関する。
【背景技術】
【０００２】
調律装置の機能としては、スイッチ入力によって基準ピッチや調律音名などのパラメータを設定する場合と、楽音の入力に対しセント偏差や抽出音名を表示する場合がある。
【０００３】
従来の携帯電子機器において、バッテリー残量低下時の照明装置の省電力化を図る方法としては、バッテリー残量が少なくなると照明装置の点灯時間を短くするなど、バッテリーの残量に応じて照明装置の点灯時間を制御するという方法が知られている（例えば、特許文献１参照。）。また、バッテリー残量が少なくなると照明装置を消灯、あるいは輝度を下げることで省電力化を図るという方法も用いられている（例えば、特許文献２参照。）。
【特許文献１】特開平７−３２７００４号公報
【特許文献２】特開２００３−１９５９９０号公報
【発明の開示】
【発明が解決しようとする課題】
【０００４】
従来の調律装置では、どのような外部入力に対しても全ての表示部に対し一様に照明を点灯するため、バッテリー残量が低下したときにも同様の制御を行うと全ての表示箇所の視認性が悪くなってしまう問題があった。
【０００５】
本発明は、液晶やアナログメーターなど複数の表示手段とそれぞれの表示手段に伴う複数の照明手段を持つ調律装置において、バッテリー残量によってそれぞれの照明手段の点灯および消灯の選択、点灯時間や輝度、さらには外部入力の種類ごとの点灯の仕方を制御することにより省電力化を実現することを目的とする。
【課題を解決するための手段】
【０００６】
上記の課題を達成するため、本発明は、外部入力信号を入力するための外部入力手段と、前記外部入力手段の内容に基づいて表示内容を表示する１つ以上の表示手段と、前記表示手段の表示内容に基づいて変化する複数の照明手段と、前記外部入力手段から入力された前記外部入力信号をトリガとして前記照明手段を点灯させ、一定時間経過後に消灯するように制御する照明制御手段と、バッテリーの残量を検出するためのバッテリー残量検出手段と、を備えた調律装置であって、前記照明制御手段は、バッテリー残量検出手段の出力値に基づいて、前記照明手段の点灯時間を制御することを特徴とする調律装置とする。
【０００７】
また本発明は、外部入力信号を入力するための外部入力手段と、前記外部入力手段の内容に基づいて表示内容を表示する１つ以上の表示手段と、前記表示手段の表示内容に基づいて変化する複数の照明手段と、前記外部入力手段から入力された前記外部入力信号をトリガとして前記照明手段を点灯させ、一定時間経過後に消灯するように制御する照明制御手段と、バッテリーの残量を検出するためのバッテリー残量検出手段と、を備えた調律装置であって、前記照明制御手段は、バッテリー残量検出手段の出力値に基づいて、前記照明手段の輝度を制御することを特徴とする調律装置とする。
【０００８】
また本発明は、外部入力信号を入力するための外部入力手段と、前記外部入力手段の内容に基づいて表示内容を表示する１つ以上の表示手段と、前記表示手段の表示内容に基づいて変化する複数の照明手段と、前記外部入力手段から入力された前記外部入力信号をトリガとして前記照明手段を点灯させ、一定時間経過後に消灯するように制御する照明制御手段と、バッテリーの残量を検出するためのバッテリー残量検出手段と、を備えた調律装置であって、前記照明制御手段は、バッテリー残量検出手段の出力値に基づいて、複数の前記照明手段の中で特定の照明手段のみが点灯するように個々の前記照明手段を独立に制御できることを特徴とする調律装置とする。
【０００９】
また本発明は、上述の調律装置において、前記外部入力手段は、スイッチ、マイク、またはインプットジャックであることを特徴とする。
【００１０】
また本発明は、上述の調律装置において、前記照明制御手段は、前記バッテリー残量検出手段がバッテリー残量を所定の値以下であると検出したときに、外部入力信号の種類によって、複数の照明手段のうち、特定の照明手段を選択して制御することを特徴とする。
【００１１】
また本発明は、上述の調律装置において、前記照明制御手段は、前記外部入力手段に調律可能な特定の周波数範囲の楽音が入力されたときのみ前記照明装置を点灯するように制御することを特徴とする。
【００１２】
また本発明は、上述の調律装置において、前記周波数範囲は、任意の範囲の値に設定可能なことを特徴とする。
【発明の効果】
【００１３】
本発明によれば、表示手段の照明の点灯および消灯の選択、点灯時間や輝度、さらには外部入力の種類ごとの点灯の仕方を、バッテリー残量検出結果に基づいて制御することで、表示手段の視認性を保ちつつ調律装置を省電力化することができる。
【発明を実施するための最良の形態】
【００１４】
以下、本発明の情報表示装置における好適な実施の形態について、図１から図５を参照して詳細に説明する。
【００１５】
図１は、調律装置の概略構成を示すブロック図である。調律する際に引用するパラメータの変更等を行う複数のスイッチ１、入力信号の調律処理やバックライトの点灯処理等を主に行うマイコン２、マイコン２内でスイッチ１からの入力の有無を判定するスイッチ入力判定手段３、スイッチ入力判定手段によってスイッチの入力がありと判定されたときにパラメータ変更等の処理を行う設定処理手段４、楽音等の信号を増幅し、矩形波として入力するための楽音入力手段１１、マイコン２内で楽音の入力を検知する楽音信号判定手段１２、楽音が入力されたと判定された後に、設定処理手段４の設定値に基づいて入力音の音名やセント偏差を抽出する調律手段１３、設定処理手段４や調律手段１１で求められた設定値や音名、セント偏差等の表示を制御するための表示制御手段５、実際に表示を行うための複数の表示手段６、表示制御手段５で表示手段６の表示内容が変更されるときに照明の点灯や消灯を制御するための照明制御手段７、照明の消灯タイミングの設定に関わるタイマ８、照明手段の輝度に関わる電流の制御を行う電流制御手段９、表示手段に付属し点灯・消灯を行う、複数の照明手段１０、バッテリー１４、およびマイコン３内でバッテリー１４の残量を検出するためのバッテリー残量検出手段１５で構成されている。
【００１６】
まず、１個または複数のスイッチで複数の照明手段を制御する場合の動作について説明する。調律のパラメータを変更するためスイッチ１を押すと、スイッチ入力判定手段３によってスイッチ入力があったことを検知し、どのスイッチが入力されたかを判定する。次に、設定処理手段４にて、入力されたスイッチの種類に対応するパラメータの値の変更、格納処理を行う。こうしてパラメータの変更があると、表示内容もそれに伴い変更する必要がある。この表示手段６の表示内容変更処理は、設定処理手段４の内容を受け表示制御手段５で行われる。
【００１７】
また同時に、スイッチ入力によって表示手段に付属する照明を点灯させる処理を行うのが照明制御手段７である。照明制御手段７では、変更されたパラメータによってどの照明を点灯させるかを判断し、電流制御手段９を介して照明手段１０を制御する。このとき、照明制御に大きく影響を与えるのがバッテリー残量である。バッテリー１４の残量はバッテリー残量検出手段１５で常にモニターされている。スイッチ入力によって照明手段の点灯処理を行う場合、照明制御手段７はバッテリー残量検出手段１５の情報を参照し、その残量によって点灯の仕方を変える。
【００１８】
図２は、バッテリー残量による照明手段の点灯時間、輝度を示した表である。例えば、検出されたバッテリー残量が未使用時の７５％であったときは、本表のパターンＮＯ．３を引用する。ここで定義されたバッテリー残量による点灯時間および輝度のデータは、どちらかを引用しても良いし、両方を組み合わせても良い。この例で点灯時間のデータを引用した場合は、点灯させた照明手段の消灯タイミングを計るタイマ８に、４．０ｓｅｃの値をセットする。こうすることで、タイマ８は照明装置点灯後にセットされたタイマ値のカウントダウンを行い、規定時間経過後に消灯処理を行う。
【００１９】
また、この例で照明装置の輝度のデータを引用した場合、照明制御手段７から電流制御手段９にて電流値の指示を行い、照明手段９の輝度を調節するための電流値を決定、照明手段９を制御する。こうしてバッテリー残量によって照明手段９の点灯の仕方を制御するのである。もちろん、複数の照明装置を点灯させる場合や、入力されるスイッチの種類によって照明装置の点灯の仕方を変えたい場合は、照明装置、スイッチ入力ごとにバッテリー残量による点灯時間や輝度のデータを設定すれば、それぞれの照明装置やスイッチ入力の種類によって異なった点灯および消灯の制御を行うことが可能である。
【００２０】
次に、楽音入力手段１１から楽音が入力された場合の照明手段の制御動作について説明する。楽音信号判定手段１２で楽音の入力を検知すると、検知された楽音の信号は調律手段１３によって音名、セント偏差を抽出する。このとき、設定処理手段４で設定されたパラメータが調律処理に使用される。こうして判定された音名、セント偏差は表示制御手段５に送られ、それぞれの表示手段６で正しく表示されるよう処理が行われる。
【００２１】
同時に、照明制御手段７によって音名、セント偏差の表示に関わる照明の点灯、消灯の処理を行う。スイッチ入力時の処理と同様に、点灯させる照明手段の選択、および消灯させるためのタイマの設定、輝度の設定を行う。このようにして、楽音の入力があったときに、音名、セント偏差が抽出されることで表示手段６への表示処理と照明手段１０の照明点灯処理が行われるのである。
【００２２】
照明手段の輝度や消灯タイミング決定のためのタイマ値は入力楽音の周波数帯域によって設定することも可能である。図３は、バッテリー残量と入力楽音の周波数帯域による２種類の照明手段の輝度を示した表である。ここでは、特定の楽音周波数を自動的もしくは任意に設定できるものとする。
【００２３】
例えば、検出されたバッテリー残量が未使用時の７５％であったときは、本表のパターンＮＯ．３を引用する。更に、第１の照明手段の輝度決定には、入力楽音の周波数が先ほど定義された楽音周波数の設定範囲内であるかどうかによる。もし入力楽音の周波数が設定範囲内であれば輝度は１００％となり、設定範囲外であれば輝度は８０％となる。一方、第２の照明手段は入力楽音の周波数に関係なく輝度が８０％となる。このようにすることで、バッテリー残量が少なくなってもより重要な表示装置の位置に付随する照明手段の輝度を優先的に明るく点灯させることで、使い勝手と省電力化のバランスを取ることが可能である。
【００２４】
図４は本発明に関わる調律装置の実施形態の一例の正面図である。本体ケース１６には、電源スイッチ１７、液晶ディスプレイ１８、メータ１９、ピッチ設定スイッチ２０、マイク２１、インプットジャック２２、液晶照明２３、メータ照明２４を配置する。この実施形態では、図２のバッテリー残量による照明装置の点灯時間および輝度の表を参照することにし、バッテリー残量が６８％の時の調律装置の動作を説明する。
【００２５】
まず、ピッチ設定スイッチ２０にて基準ピッチの設定を行うと、液晶ディスプレイ１８のピッチ表示部分の値が設定値に変更される。このとき、図１の照明制御手段７にて点灯させる照明手段の選択、および輝度や点灯時間の設定が行われる。この場合は、まずピッチの表示に関連した液晶照明２３のみ点灯させるという選択を行う。次に、バッテリー残量が６８％の時の照明手段の点灯時間および輝度を図２から選択する。図２より、パターンＮｏ．４のデータを引用し、点灯時間を４．０ｓｅｃ、輝度を７０％に設定する。こうして、ピッチ設定スイッチ２０を押すと、液晶照明２３が輝度７０％で４．０ｓｅｃの間点灯するのである。
【００２６】
次に、マイク２１またはインプットジャック２２に接続したラインから楽音信号が入力された場合の動作を説明する。入力された楽音信号から音名とセント偏差が抽出されると液晶ディスプレイ１８の音名表示部分に音名が、メータ１９でセント偏差が表示される。このときも同様に、図１の照明制御手段７にて点灯させる照明手段の選択、および輝度や点灯時間の設定が行われる。まず、点灯させる照明手段の選択では、液晶ディスプレイ１８およびメータ１９がどちらも表示に関わるため、それぞれの表示に関連した液晶照明２３およびメータ照明２４を共に点灯させるという選択を行う。
【００２７】
次に、ピッチ設定スイッチ２０の入力時と同様にバッテリー残量が６８％の時の照明手段の点灯時間および輝度を図２から選択して設定する。こうして、楽音信号が入力されると、液晶照明２３およびメータ照明２４が輝度７０％で４．０ｓｅｃの間点灯するのである。
【００２８】
図５は本発明に関わる調律装置の別の実施形態の一例の正面図である。本体ケース２５には、電源スイッチ２６、液晶ディスプレイ２７、メータ２８、調律モード設定スイッチ２９、マイク３０、インプットジャック３１、モード表示部照明３２、音名表示部照明３３、メータ照明３４を配置する。この実施形態では、図３のバッテリー残量による照明装置の点灯時間および輝度の表を参照することにし、バッテリー残量が６８％の時の調律装置の動作を説明する。なお、図３における第１の照明手段をメータ照明３４、第２の照明手段をモード表示部照明３２および音名表示部照明３３とする。
【００２９】
まず、調律モード設定スイッチ２９にて調律モードの設定を行う。調律モードとはここでは調律する楽器を選択するモードを指す。例えば、ギターモードの場合は、一般的なギターの発音する周波数帯域である８２．４〜６５９．３Ｈｚまでを有効調律範囲と限定し、この範囲内の楽音が入力されたときのみ照明を行う、と設定する。調律モード設定スイッチ２９の入力によって液晶ディスプレイ２８のモード表示部分の内容変更が行われると同時に、図１の照明制御手段７にて点灯させる照明手段の選択、および輝度の設定が行われる。この場合は、まず調律モードの表示に関連したモード表示部照明３２のみ点灯させるという選択を行う。
【００３０】
次に、バッテリー残量が６８％の時の照明手段の点灯時間および輝度を図３から選択する。図３より、パターンＮｏ．４の第２の照明手段のデータを引用し、輝度を７０％に設定する。こうして、調律モード設定スイッチ２９を押すと、モード表示部照明３２が輝度７０％で点灯するのである。
【００３１】
次に、マイク３０またはインプットジャック３１に接続したラインから楽音信号が入力された場合の動作を説明する。入力された楽音信号から音名とセント偏差が抽出されると液晶ディスプレイ２７の音名表示部分に音名が、メータ２８でセント偏差が表示される。このときも同様に、図１の照明制御手段７にて点灯させる照明手段の選択、および輝度の設定が行われる。まず、点灯させる照明手段の選択では、液晶ディスプレイ２７内の音名表示部、およびメータ２８が表示に関わるため、それぞれの表示に関連した音名表示部照明３３およびメータ照明３４を点灯させるという選択を行う。
【００３２】
次に、バッテリー残量が６８％の時の照明手段の輝度を図３から選択して設定する。まず、音名表示部照明３３は図３のパターンＮｏ．４のデータより輝度７０に設定される。次に、メータ照明３４は、入力された楽音信号が、調律モード設定スイッチ２９で設定された有効調律範囲内か範囲外かによって輝度が決定される。有効調律範囲内であれば９０％に、範囲外であれば７０％に設定される。こうして、楽音信号が入力されると、音名表示部照明３３が７０％で、メータ照明２４は入力楽音によって７０％あるいは９０％で点灯するのである。
【００３３】
上記２つの実施例のように、バッテリー残量によって、必要な場所だけの照明点灯、および必要な時間だけの照明点灯時間を細かく設定することで、無駄な照明の点灯を防ぎ、調律器の省電力化を図ることが可能である。また、輝度や点灯時間をバッテリー残量の指標とすることも出来、実施例２のように入力楽音が正しく調律されているかを輝度によっておおよそ判定することも可能となる。
【図面の簡単な説明】
【００３４】
【図１】本発明を用いた調律装置の実施形態の一例を表すブロック図である。
【図２】バッテリー残量による照明手段の点灯時間、輝度を示した図である。
【図３】バッテリー残量と入力楽音の種類による照明手段の輝度を示した図である。
【図４】本発明を用いた調律装置の実施形態の一例を表す外観図である。
【図５】本発明を用いた調律装置の実施形態の別の一例を表す外観図である。
【符号の説明】
【００３５】
１…スイッチ、２…マイコン、３…スイッチ入力判定手段、４…設定処理手段、５…表示制御手段、６…表示手段、７…照明制御手段、８…タイマ、９…電流制御手段、１０…照明手段、１１…楽音入力手段、１２…楽音信号判定手段、１３…調律手段、１４…バッテリー、１５…バッテリー残量検出手段、１６、２５…本体ケース、１７、２６…電源スイッチ、１８、２７…液晶ディスプレイ、１９、２８…メータ、２０…ピッチ設定スイッチ
２１、３０…マイク、２２、３１…インプットジャック、２３…液晶照明、２４、３４…メータ照明、２９…調律モード設定スイッチ、３０…液晶照明、３２…モード表示部照明、３３…音名表示部照明
【図１】
2008203481.tif 000003
【図２】
2008203481.tif 000004
【図３】
2008203481.tif 000005
【図４】
2008203481.tif 000006
【図５】
2008203481.tif 000007